(57)【要約】  【目的】Ｑ特性に優れ、接続信頼性の高い小型化に適したチップ状巻線型コイル部品を提供する。  【構成】  巻線型コイル部品１０は、巻芯１の両端部に四角形状の角鍔２ａ，２ｂを備えたドラム型フェライトコア３の角鍔２ａ，２ｂの下側の側面Ｓに設けた電極５に巻線６の端部を接合するとともに、巻芯１に巻回した巻線６の外周を磁性粉含有外装樹脂８で被覆した構造であって、角鍔２ａ，２ｂの少なくとも下側の側面Ｓに鍔の厚み方向に巻芯１側から端面Ｆに亘って凹溝４を設け、角鍔２ａ，２ｂの凹溝４を設けた下側の側面Ｓに凹溝４を含む幅方向に第一電極５を帯状に形成し、巻線６の端部を凹溝４内の端面Ｆ寄りで熱圧着接合するとともに、巻線６の端部の凹溝４内の巻芯１寄りの部分を外装樹脂８で覆い、凹溝４内の外装樹脂８の表面、熱圧着接合部Ｃの外表面、及び第一電極５の表面を覆うように導電性樹脂の第二電極９により被覆した構造である。【選択図】  図１
2006253394.tif 000002
【特許請求の範囲】
【請求項１】
巻芯の両端部に四角形状の角鍔を備えたドラム型フェライトコアの前記角鍔の下側の側面に設けた電極に前記巻芯に巻回した巻線の端部を接合するとともに、前記巻芯に巻回した巻線の外周を磁性粉含有外装樹脂で被覆したチップ状巻線型コイル部品において、
前記角鍔の少なくとも下側の側面に鍔の厚み方向に巻芯側から端面に亘って凹溝を設け、前記角鍔の凹溝を設けた下側の側面に前記凹溝を含む幅方向に第一電極を帯状に形成し、前記巻線の端部を凹溝内の端面寄りで熱圧着接合するとともに、前記巻線の端部の凹溝内の巻芯寄りの部分を外装樹脂で覆い、前記凹溝内の外装樹脂の表面、熱圧着接合部の表面、及び前記第一電極の表面を覆うように導電性樹脂の第二電極により被覆したことを特徴とするチップ状巻線型コイル部品。
【請求項２】
前記角鍔の他の側面にも凹溝を設け、該凹溝内に侵入する外装樹脂の前記ドラム型フェライトコアの中心軸と直交する断面積を前記下側の側面の凹溝内に侵入する前記外装樹脂の前記ドラム型フェライトコアの中心軸と直交する断面積よりも大きくしたことを特徴とする請求項１記載のチップ状巻線型コイル部品。
【請求項３】
前記角鍔の下側の側面及び上側の側面にそれぞれ前記凹溝が設けられていることを特徴とする請求項２記載のチップ状巻線型コイル部品。
【発明の詳細な説明】
【技術分野】
【０００１】
本発明は、コア直付けの電極構造を有するチップ状巻線型コイル部品の技術分野に属する。
【背景技術】
【０００２】
従来より、信号系に用いられるチップ状巻線型コイル部品の一形態として、図７の一部断面図に示されるような内部構造と外観の巻線チップインダクタ２０がある。
【０００３】
図７の前記巻線チップインダクタ２０は、巻芯２１の両端部に四角形状の角鍔２２を備えたドラム型フェライトコア２３に巻線２４を巻回して、図の下側が実装面側の電極となるフレームリード２５にハンダ付けしたものを外装樹脂２６でモールドした基本構造となっている。
【０００４】
上記構造では、信号系インダクタに求められている高Ｑ（リアクタンスＸと抵抗Ｒの比；Quality factor）特性のために、前記フレームリード２５を前記ドラム型フェライトコア２３の外側に配置し、コアから可及的に離すようにして渦電流損失を抑える形態となっている。
【０００５】
しかしながら、電子機器の小型化に伴い、基板実装される上記面実装タイプのチップ状巻線型コイル部品も更なる小型化が要求されており、この点、前記巻線チップインダクタ２０では、前記フレームリード２５を角鍔２２の端面側に配置しつつ全体を包み込むように前記外装樹脂２６でモールドしているために、前記ドラム型フェライトコア２３の周囲に樹脂で覆われた部分（図７における黒ベタ塗り部分）のデッドスペースを持つことになり、必然的に形状が大きくなるというデメリットが存する。
【０００６】
そこで、小型化の観点から、最近では、図８の（ａ）の模式図に示される前記巻線チップインダクタ２０のフレームリード２５による電極構造の形態から、図８の（ｂ）の模式図に示される巻線型コイル部品３０の内部構造図のように、前記フレームリード２５を用いずに前記ドラム型フェライトコア２３の角鍔２２ａ，２２ｂの端面と側面に直付け電極２９を形成した形態（コア直付けの多面電極構造）へと進展している。
【０００７】
上記コア直付けの多面電極構造のチップ状巻線型コイル部品３０の一般的な電極は、図８の（ｂ）の内部構造図のように、前記ドラム型フェライトコア２３の角鍔２２ａ，２２ｂの側面４面と端面の５面に亘ってキャップ状に形成されているものが多い。
【０００８】
例外として、電極が角鍔の側面における略一面側（実装基板に半田接合される側の面）のみに設けられている巻線型コイル部品の電極構造（一面電極構造）に関する公知文献として、下記［特許文献１］には、図９の（ａ）側面図、（ｂ）正面図に示されるような巻線型コイル部品４０が「チップ型可変インダクタンス素子」として記載されており、その第２頁右上欄第３行目〜同頁左下欄４行目には電極構造と実装基板への実装方法が記載されている。即ち、図９のチップ型可変インダクタンス素子４０は、巻芯３３の両端に設けられた角鍔３２ａ、３２ｂを有するドラム型フェライトコア３１の前記角鍔３２ａ、３２ｂの一側面（底面側）に設けた絶縁層３４ａ、３４ｂの下面に積層して電極３５ａ、３５ｂを設け、この電極３５ａ、３５ｂにコイル３６の両端をそれぞれ接続している。そして、前記電極３５ａ、３５ｂが実装基板（プリント配線基板）２５上の所定のパターン（電極パッド２６ａ、２６ｂ）上に半田で半田付けされる構成としている。
【０００９】
【特許文献１】特開昭５８−１２４２１３号公報
【発明の開示】
【発明が解決しようとする課題】
【００１０】
前述の図８の（ｂ）に示されるコア直付けの電極２９を備えた巻線型コイル部品３０に関しては、Ｑ特性向上の面からは、電極面積を可及的に小さくすることが望ましい。蓋し、図８の（ｂ）に示される磁束（太矢印）と直付けの前記電極２９との関係から判るように（対比として（ａ）の巻線チップインダクタ２０をの磁束の矢印を参照。）、前記巻線型コイル部品３０のドラム型フェライトコア２３の角鍔２２ａ，２２ｂに設けられた前記電極２９の面積を前記角鍔２２ａ，２２ｂの周側面４面と端面の５面に亘って大きくとることはコア内部の磁界の変化をもたらし、電極面に近い領域で渦電流を生起してインダクタとしてのＱ特性が悪くなるのである。
【００１１】
したがって、高Ｑ特性を得る観点からは、前記［特許文献１］の一面電極構造は相対的に優れている。しかしながら、電極構造の信頼性や実装強度の観点からすると、一般に前記コア直付けの電極２９は、Ａｇ電極（ガラスフリット入り銀ペーストを焼き付けて形成したもの。）からなるコア直付けの第一電極と、一般に導電性樹脂の電極（硬化型樹脂入り導電性Ａｇペーストを印刷して乾燥してなる。）からなる第二電極の２層構造を採っているが、両者の密着強度はさほど強固ではないために、前記電極２９の面積が小さい場合は、基板実装後に衝撃や荷重が加わった際に、双方の界面などで電極剥離を生じて実装強度が低下する可能性がある。即ち、Ｑ特性を向上するための電極面積の減少（一面電極構造化）は実装強度の面では電極剥離を引き起こしやすくなり、実装強度不足による信頼性低下を招くのである。
【００１２】
特に、図９の前記［特許文献１］のチップ型可変インダクタンス素子４０を仔細に観察すると判るように、鍔３２ａ，３２ｂの下面に絶縁層３４ａ，３４ｂが設けられ、この下面に積層して鋼板などからなる電極３５ａ，３５ｂを設け（以上から厳密にはコア直付けの電極ではない。）、この電極３５ａ，３５ｂに巻線３６の両端を一部露出させつつ引き出して接続している電極構造となっている。而して、基板２５に半田２６ａ，２６ｂで半田付けされる場合に、半田付けの加熱で巻線３６との接続が緩んだり、半田熱によって接続部分の半田食われが生じたりする可能性が高く、決して実装信頼性が高いとはいえない状況にある。尚、モールドされた樹脂３７は電極領域には及んでおらず、単に巻線部の保護と透磁率の向上が目的である。
【００１３】
一方、図８の（ｂ）の前記巻線型コイル部品３０の電極３０の電極構造は、その第一電極と第二電極が共にドラム型フェライトコア２２の角鍔２３ａ、２３ｂの端面と上下左右の４周面の全体を覆うような電極構造（５面電極構造）であるために、両者の密着面積が大きく取られている構造なので、単位面積あたりの密着強度が低くても全体の密着面積でカバーされて、結果的に規格実装強度以上は確保されている状況にある。
【００１４】
しかしながら、今後は小型化とともにコア直付けの電極の電極面積を小さくして巻線型コイル部品のＱ特性を向上させつつ電極の密着強度を高めて実装強度を確保することが重要になり、両者の両立が課題となる。
【００１５】
本発明は上記事情に鑑みてなされたものであり、実装基板への半田付け後の衝撃に対して電極部が剥れにくく実装信頼性の向上を実現しつつ、高Ｑを得ることができる一面電極構造のチップ状巻線型コイル部品を提供することを目的とする。
【課題を解決するための手段】
【００１６】
本発明は、
（１）  巻芯１の両端部に四角形状の角鍔２ａ，２ｂを備えたドラム型フェライトコア３の前記角鍔２ａ，２ｂの下側の側面Ｓに設けた電極５に前記巻芯１に巻回した巻線６の端部を接合するとともに、前記巻芯１に巻回した巻線６の外周を磁性粉含有外装樹脂８で被覆したチップ状巻線型コイル部品１０において、前記角鍔２ａ，２ｂの少なくとも下側の側面Ｓに鍔の厚み方向に巻芯１側から端面Ｆに亘って凹溝４を設け、前記角鍔２ａ，２ｂの凹溝４を設けた下側の側面Ｓに前記凹溝４を含む幅方向に第一電極５を帯状に形成し、前記巻線６の端部を凹溝４内の端面Ｆ寄りで熱圧着接合するとともに、前記巻線６の端部の凹溝４内の巻芯１寄りの部分を外装樹脂８で覆い、前記凹溝４内の外装樹脂８の表面、熱圧着接合部Ｃの表面、及び前記第一電極５の表面を覆うように導電性樹脂の第二電極９により被覆したことを特徴とするチップ状巻線型コイル部品１０を提供することにより、上記課題を解決する。
（２）  前記角鍔２ａ，２ｂの他の側面にも凹溝４´を設け、該凹溝４´内に侵入する外装樹脂８ｂの前記ドラム型フェライトコア３の中心軸と直交する断面積Ｓｂを前記下側の側面の凹溝４内に侵入する前記外装樹脂８ａの前記ドラム型フェライトコア３の中心軸と直交する断面積Ｓａよりも大きくしたことを特徴とする上記（１）記載のチップ状巻線型コイル部品１０を提供することにより、上記課題を解決する。
（３）  前記角鍔２ａ，２ｂの下側の側面Ｓ及び上側の側面Ｕにそれぞれ前記凹溝４，４´が設けられていることを特徴とする上記（２）記載のチップ状巻線型コイル部品１０を提供することにより、上記課題を解決する。
【発明の効果】
【００１７】
本発明に係るチップ状巻線型コイル部品は、
（１）コア直付けの一面電極構造によって形状を小さくしながら渦電流損、銅損を低減でき、Ｑ特性が向上する。
（２）帯状の第一電極（内部電極）と第二電極（外部電極）が凹溝内の巻線の端部の第一電極との熱圧着接合部を挟むように、且つ、凹溝内に侵入した外装樹脂を挟むようにして密着しているために密着強度の高い電極構造となり、且つ、巻線の引出し部が露出していないため、高い接続信頼性が得られる。
（３）凹溝内の底に形成された第一電極の層の厚さが他の箇所よりも厚く、外装樹脂の該凹溝内への流路の断面積が小さくなるために、他の側面に設けられた電極のない凹溝よりも外装樹脂が進入しにくい構造となって、第一電極と巻線の端部との熱圧着接合部は外装樹脂で覆われるのが防止されて、前記熱圧着接合部の外表面と前記第二電極（外部電極）の導電性が良好となり、直流抵抗Ｒｄｃ特性のバラツキが低減される。
（４）巻芯の両端部の四角形状の前記角鍔の４側面における下側の側面及び上側の側面にそれぞれ凹溝が設けられ、その内の下側の側面にのみ電極が形成されていて、上側の側面には凹溝内に外装樹脂が侵入した状態のまま露出しているので、コイル部品としての方向性が外観上明らかとなって、電極を設けた面の方向性の確認が容易である。
【発明を実施するための最良の形態】
【００１８】
本発明に係るチップ状巻線型コイル部品の実施の形態について図面に基づいて説明する。なお、従来と同様の部材については同符号にて示す。
【００１９】
図１は本発明に係る巻線型コイル部品の側面側から見た縦断面構造図である。図２は本発明に係る巻線型コイル部品の正面側から見た図１のＡ−Ａ´断面構造図である。図３は本発明に係る巻線型コイル部品の正面側から見た図１のＢ−Ｂ´断面構造である。図４〜図６は本発明に係る巻線型コイル部品の製造手順を説明するための工程フロー図である。
【００２０】
図１乃至図３において、巻線型コイル部品１０は、巻芯１の両端部に四角形状の角鍔２ａ，２ｂを備えたドラム型フェライトコア３の前記角鍔２ａ，２ｂの下側の側面Ｓに設けた第一電極５に前記巻芯１に巻回した巻線６の端部を接合するとともに、前記巻芯１に巻回した巻線６の外周を磁性粉含有外装樹脂８で被覆したチップ状巻線型コイル部品１０であって、特に、前記角鍔２ａ，２ｂの少なくとも下側の側面Ｓに鍔の厚み方向（図１の左右方向）に巻芯１側から端面Ｆに亘って凹溝４を設け、前記角鍔２ａ，２ｂの凹溝４を設けた下側の側面Ｓに前記凹溝４を含む幅方向（図２の左右方向）に前記第一電極５を帯状に形成し、前記巻線６の端部を前記凹溝４内の端面Ｆ寄りで熱圧着接合するとともに、前記巻線６の端部の凹溝４内の巻芯１寄りの部分を前記磁性粉含有外装樹脂８で覆い、前記凹溝４内の磁性粉含有外装樹脂８ａの表面、熱圧着接合部Ｃの表面、及び前記第一電極５の表面を覆うように導電性樹脂の第二電極９により被覆した構造を備えている。尚、図１乃至図３では、好ましい実施の形態として更に電極面の保護のために付加的にメッキ層１１（例えばＮｉメッキ層やＳｎメッキ層）を形成している。
【００２１】
即ち、本発明の巻線型コイル部品１０は、その特徴的構成要素として、角鍔２ａ，２ｂの４側面の内の下側の側面Ｓに凹溝４を備えるドラム型フェライトコア３と、前記凹溝４を備えた面上に設けられた巻線６の端部が接合される帯状の第１電極５と、前記凹溝４内の端面Ｆ寄りに形成された前記熱圧着接合部Ｃを覆わずに前記巻芯１寄りの巻線６の引出し部を覆うまでに進入しつつ角鍔２ａ，２ｂ間に挟まれた領域を埋める外装材の磁性粉含有外装樹脂８と、前記熱圧着接合部Ｃを挟んで対向する前記第一電極５と広く覆うように接する帯状の前記第二電極９とを有し、コイル部品の小型化を図りつつ、高Ｑ特性と実装信頼性の両立を実現している点に特徴を有する。
【００２２】
以下、各部材の説明とともに製造手順について図４〜図６を基に述べる。尚、図４〜図６では全て本チップ状巻線型コイル部品１０の上下を逆さにした状態で表されており、前記ドラム型フェライトコア３の角鍔２ａ，２ｂの実装面側となる下側の側面Ｓを上方にしている。
【００２３】
第１に、図４の（ａ）に示されるように、巻芯１の両端部に四角形状の角鍔２ａ，２ｂを備えたドラム型フェライトコア３の前記角鍔２ａ，２ｂの下側の側面Ｓと上側の側面Ｕに鍔の厚み方向に巻芯１側から端面Ｆに亘って凹溝４、４´を設ける。このドラム型フェライトコア３は、例えば、直付け電極を可能にする高抵抗率のニッケル亜鉛系フェライト材料粉末とバインダと溶媒とを含むスラリーを噴霧乾燥して造粒し、得られた造粒粉末を乾式成形プレスを用いてドラム型に一体成形する手段、或いは上記と同様の手法で平板状フェライト成形体を得た後、研削加工を施してドラム型フェライト形状に成形する手法によって得られた成形体を１０５０℃で２時間焼成してドラム型の焼結フェライトコアを得る。
【００２４】
次に、図４の（ｂ）に示されるように、前記角鍔２ａ，２ｂの下側の側面Ｓにおける凹溝４を含む幅方向（矢印方向）に第一電極５を帯状に形成する。この第一電極５は、例えば、Ａｇ又はＡｇ−Ｐｄからなる導電性ペーストを塗布、焼成して形成する。この塗布、焼成は例えば、スクリーン印刷の手法により所望の開口パターンを有するスクリーンマスクを用いて、前記ドラム型フェライトコア３を印刷ステージ上に保持して、Ａｇ導電粉末とガラスフリットとビヒクルとを含むＡｇ電極材料ペーストをスキージで塗布し、６５０℃で３０分間焼き付けることで形成される。上記のように形成された第一電極５は、一般に凹溝４の底の部分の厚さｔ１が他の箇所の厚さｔ２よりも２倍程度厚くなっている。
【００２５】
次に、図５の（ｃ）に示されるように、前記ドラム型フェライトコア３の巻芯１にポリウレタン樹脂被覆銅線などの巻線６を巻回し、その端部６ａ，６ｂをそれぞれ左右の角鍔２ａ，２ｂの前記凹溝４内に引き出す。
【００２６】
次に、図５の（ｄ）に示されるように、前記凹溝４内に引き出された巻線６の端部６ａ，６ｂを熱圧着によって凹溝４内の端面Ｆ寄りで前記第一電極５と接合して熱圧着接合部Ｃを形成する。
【００２７】
次に、図６の（ｅ）に示されるように、前記凹溝４内に形成された前記熱圧着接合部Ｃは露出した状態で巻線６の端部６ａ，６ｂの巻芯１寄りの部分を覆うように前記角鍔２ａ，２ｂの溝部４に侵入するとともに前記巻芯１に巻回した巻線６の外周を覆う磁性粉（フェライト粉）含有樹脂８をモールドする。この磁性粉含有樹脂８のフェライト添加量は、樹脂の性質を保つためには５ｗｔ％〜８０ｗｔ％の範囲が望ましい。また、樹脂材としては、例えば、エポキシ樹脂とカルボキシル基変性プロピレングリコールとを配合した塗料を用いる。モールドはディスペンサーを用いて充填し、室温にて３０分間放置・乾燥して成形されるか、金型でモールド成形する。
【００２８】
次に、図６の（ｆ）に示されるように、前記凹溝４内の外装樹脂８の表面、前記熱圧着接合部Ｃの表面、及び前記第一電極５の露出する表面の全体を覆うように導電性樹脂の第二電極９により被覆する。この第二電極９には銀粉末含有樹脂ペーストを用い、前記凹溝４内の前記第一電極５上の熱圧着接合部Ｃ上を完全に覆うように塗布して、硬化させる。
【００２９】
更に、好ましくは電極保護のために付加的に前記第２電極９の上に図１〜図３に示されるようにＮｉメッキやＳｎメッキのメッキ層１１を施すことにより、本巻線型コイル部品ができる。但し、前記角鍔２ａ，２ｂの内側に前記メッキ層１１が伸びると渦電流損の増加によりＱは低下するので注意が必要である。本発明者の実験によれば内側への回り込みは０．２ｍｍ以下、望ましくは０．１ｍｍ以下に抑えることが肝要である。
【００３０】
上記構成によって、従来のチップ状巻線型コイル部品２０で用いていたフレームリード２５が消えて、デッドスペースが無くなるため、小型化することができる。また、高Ｑを維持するために電極を基板実装側である前記角鍔２ａ，２ｂの下側の側面Ｓだけに形成し、渦電流損失を低減させている。
【００３１】
加えて、前記磁性粉含有樹脂８を塗布、整形することにより、外側に廻っていた磁束の一部を磁性粉含有樹脂８に通すことができ、電極を貫く磁束を低下させることができるため、渦電流損失を更に低減させることができる。また、磁性粉含有樹脂８により高インダクタンスが得られる。
【００３２】
而して、通常の巻線部品より巻き数を少なくすることができ、銅損も低減できることになる。これらの特徴的作用の組み合わせにより、全体形状を小さくしながら、高Ｑ特性と高い接続信頼性を確保することが可能になるのである。
【００３３】
ところで、上述の実施の形態では、巻芯１の両端部の四角形状の前記角鍔２ａ，２ｂの４側面における下側の側面Ｓ及び上側の側面Ｕにそれぞれ凹溝４、４´が設けられ、その内の下側の側面Ｓにのみ電極が形成されていて、上側の側面Ｕには凹溝４´内に磁性粉含有外装樹脂８が侵入した状態のまま露出している構造となっている。
【００３４】
このように前記角鍔２ａ，２ｂの４側面における下側の側面Ｓのみならず上側の側面Ｕ、或いは４側面全部に凹溝が設けられることによって、前記外装樹脂８のモールド時の加圧された樹脂の逃げ道としての凹溝への流路が確保されることになり、第一電極５が形成された下側の側面Ｓの凹溝４への外装樹脂８の侵入が熱圧着接合部Ｃの手前までに抑制される。
【００３５】
蓋し、外装樹脂８の凹溝４，４´への侵入の程度は、侵入路の断面積の大きさで決まり、図３、図２から判るように、下側の側面Ｓの凹溝４は形成された第一電極５の該凹溝４内の塗膜の厚さによって開口が狭められ、上側の側面Ｕの凹溝４´の侵入路の断面積Ｓｂと下側の側面Ｓの凹溝４の侵入路の断面積ＳａではＳｂ＞Ｓａとなって、電極が形成されない凹溝４´では凹溝をほぼ埋めるように外装樹脂８ｂが侵入するのに対し、電極が形成される凹溝４では、角鍔２ａ，２ｂの端面Ｆ側に形成された熱圧着接合部Ｃにまでは外装樹脂８が達しないのである。
【００３６】
これに対し、熱圧着接合部Ｃの外表面が外装樹脂８で覆われた場合には、巻線６の端部６ａ，６ｂから前記熱圧着接合部Ｃの接合面を介して前記第一電極５に接続され、さらに、前記第一電極５と前記第二電極９との接触面を介して前記第二電極９に接続される導電経路をとることになり、このように前記下側の側面Ｓの凹溝４への外装樹脂８の侵入度合いがばらつくことにより、得られるチップ状巻線型コイル部品の直流抵抗Ｒｄｃ特性にバラツキが生じる。
【００３７】
而して、本発明の実施の形態では、前記第一電極５と前記巻線６の端部６ａ，６ｂとの熱圧着接合部Ｃの外表面は外装樹脂８で覆われるのが防止されて、該熱圧着接合部Ｃの外表面と前記第二電極９（外部電極）とが直接接触することにより導電性が良好となり、直流抵抗Ｒｄｃ特性のバラツキが低減されるという特段の効果が得られる。
【００３８】
また、特に、下側の側面Ｓ以外の側面に設けられた凹溝４´が上側の側面Ｕにある場合は、コイル部品としての方向性が外観上明らかとなって、テーピングされた状態であってもその電極を設けた面の方向性の確認が容易であるという特徴的利点を有している。
【図面の簡単な説明】
【００３９】
【図１】本発明に係る巻線型コイル部品の側面側から見た縦断面構造図である。
【図２】本発明に係る巻線型コイル部品の正面側から見た図１のＡ−Ａ´断面構造図である。
【図３】本発明に係る巻線型コイル部品の正面側から見た図１のＢ−Ｂ´断面構造図である。
【図４】本発明に係る巻線型コイル部品の製造手順を説明するための工程フローにおける始めの（ａ）ドラム型フェライトコア成形工程、（ｂ）第１電極形成工程を示す図である。
【図５】本発明に係る巻線型コイル部品の製造手順を説明するための工程フローにおける（ｃ）巻線工程、（ｄ）接合工程を示す図である。
【図６】本発明に係る巻線型コイル部品の製造手順を説明するための工程フローにおける（ｅ）樹脂モールド工程、（ｆ）第２電極形成工程を示す図である。
【図７】従来の巻線チップインダクタの内部構造を示す一部断面図である。
【図８】従来の巻線型コイル部品の電極構造と磁束の関係を示す図である。
【図９】［特許文献１］に記載された巻線型コイル部品の（ａ）側面図、（ｂ）正面図である。
【符号の説明】
【００４０】
１    巻芯
２ａ，２ｂ    角鍔
３、３´    ドラム型フェライトコア
４、４´    凹溝
５    第一電極
６    巻線
６ａ、６ｂ    巻線の端部
８    磁性粉含有樹脂
８ａ，８ｂ    凹溝に侵入した磁性粉含有樹脂
９    第二電極
１０、２０    チップ状巻線型コイル部品
１１    メッキ層
Ｆ    角鍔の端面
Ｓａ，Ｓｂ    断面積
Ｓ    下側の側面
Ｃ    熱圧着接合部
【図１】
2006253394.tif 000003
【図２】
2006253394.tif 000004
【図３】
2006253394.tif 000005
【図４】
2006253394.tif 000006
【図５】
2006253394.tif 000007
【図６】
2006253394.tif 000008
【図７】
2006253394.tif 000009
【図８】
2006253394.tif 000010
【図９】
2006253394.tif 000011